(57)【要約】【課題】  流動性のある接着剤を使用した作業において、作業を効率化し１回の作業時間を短縮できるようにするとともに、作業者や作業現場が接着剤で汚れず、また、塗布部材の塗布面に均一に接着剤を塗布できるよう、環境面・品質面も向上する接着剤容器および接着剤の塗布方法を提供することにある。【解決手段】  流動性のある接着剤７５を収容した容器本体１１と、その容器本体１１に取り付けられた棒状のならし材２０とを備えた接着剤容器１０である。ならし材２０は、接着剤７５を塗布した塗布部材の塗布面をならすためその塗布面と当接する。【選択図】  図１
2005262112.tif 000002
【特許請求の範囲】
【請求項１】
流動性のある接着剤を収容した容器本体と、
その容器本体に取り付けられ、接着剤を塗布した塗布部材の塗布面をならすためその塗布面と当接するならし材とを備えた接着剤容器。
【請求項２】
そのならし材を容器本体へ取り付けるための取付孔を容器本体に２箇所設け、棒状のならし材が容器本体を貫通するように取り付けられていることを特徴とする請求項１記載の接着剤容器。
【請求項３】
塗布部材は、フリーアクセスフロアのフロアパネルを支持するための支持脚であることを特徴とする請求項１又は２記載の接着剤容器。
【請求項４】
容器本体に収容された流動性のある接着剤に、接着剤を塗布する塗布部材を直接接触させ、塗布部材の塗布面へ接着剤を塗布した後に、容器本体に取り付けられたならし材に塗布面を当接させて、塗布面をならすことを特徴とする接着剤の塗布方法。
【発明の詳細な説明】
【技術分野】
【０００１】
本発明は、流動性のある接着剤を収容した容器、とくにフリーアクセスフロアのフロアパネルを支持するための支持脚を床面に接着固定する場合に用いられる接着剤容器および接着剤の塗布方法に関するものである。
【背景技術】
【０００２】
会社や事務所などではＯＡ機器の配線等のために、二重床（フリーアクセスフロア）構造としているところが多くなっている。このフリーアクセスフロア構造は、床面上に敷設されるフロアパネルを、支持脚といわれる複数の部材で支持するものである。
【０００３】
一般的なフリーアクセスフロアの施工手順は、まず、床面に支持脚を設置し、その後にフロアパネルを支持脚上に敷設させる。最初に行われる支持脚の設置は、施工する床面全面にわたってほぼ均等に支持脚が位置するようにマトリックス状の割付墨（ライン）を打ち、この割付墨の交点に支持脚を接着固定するものである（特許文献１［０００９］〜［００１０］を参照）。これを図示すると、図６に示すようになる。
【特許文献１】特開平７−２７９３６３号公報
【０００４】
ここでの支持脚の接着固定の方法は、図７に示す通りである。すなわち、まず、作業者（図示省略）が流動性のある接着剤７５の収容された接着剤容器７０のところで、２個の支持脚５０，５０を片手で１個ずつ持ち（図７（ａ））、接着剤容器７０内で支持脚５０の底面部５１を塗布面として接着剤７５をディッピングする（図７（ｂ））。
【０００５】
次に、底面部５１に接着剤７５の塗布された支持脚５０，５０を横向きに倒し（図７（ｃ））、お互いの底面部５１，５１どうしを摺り合わせて底面部５１，５１に余分に付いた接着剤７５，７５を掻き落とす（図７（ｄ））。
そして、床面８０上の所定の位置に、支持脚５０の底面部５１を貼り付けることで、支持脚５０が床面８０に接着固定され、支持脚５０が設置されることになる（図７（ｅ））。
【発明の開示】
【発明が解決しようとする課題】
【０００６】
しかし、図７に示すような支持脚の接着固定の方法では、次のような問題があった。
（１）支持脚５０，５０の底面部５１，５１どうしを摺り合わせて底面部５１，５１に余分に付いた接着剤７５，７５を掻き落とすため作業効率が悪かった。一の施工場所で数十個から数百個の支持脚を設置する必要があり、１回の作業時間（作業者が２個の支持脚を持ち、その２個の支持脚を床面へ接着固定するまでの時間）の短縮化によって、数時間から数十時間の作業時間の短縮を実現できる。
（２）支持脚５０，５０の底面部５１，５１どうしを摺り合わせて底面部５１，５１に余分に付いた接着剤７５，７５を掻き落とすため、作業者の手に接着剤７５が付着しがちであった。また、接着剤が施工現場に誤って垂れ落ちることもあった。
（３）底面部５１，５１に接着剤７５，７５の塗布された支持脚５０，５０を横向きに倒して、お互いの底面部５１，５１どうしを摺り合わせるので、どうしても流動性ある接着剤７５は下方へ垂れ落ち、底面部５１に均一に塗布しづらいことがあった。
【０００７】
そこで、本発明は、流動性のある接着剤を使用した作業において、作業を効率化し１回の作業時間を短縮できるようにするとともに、作業者や作業現場が接着剤で汚れず、また、塗布部材の塗布面に均一に接着剤を塗布できるよう、環境面・品質面も向上する接着剤容器および接着剤の塗布方法の提供を目的とするものである。
【課題を解決するための手段】
【０００８】
上記目的を達成するために、第一の発明は、流動性のある接着剤を収容した容器本体と、その容器本体に取り付けられ、接着剤を塗布した塗布部材の塗布面をならすためその塗布面と当接するならし材とを備えた接着剤容器である。
【０００９】
第二の発明は、そのならし材を容器本体へ取り付けるための取付孔を容器本体に２箇所設け、棒状のならし材が容器本体を貫通するように取り付けられていることを特徴とするものである。
また、第三の発明は、塗布部材が、フリーアクセスフロアのフロアパネルを支持するための支持脚であることを特徴とするものである。
【００１０】
第四の発明は、容器本体に収容された流動性のある接着剤に、接着剤を塗布する塗布部材を直接接触させ、塗布部材の塗布面へ接着剤を塗布した後に、容器本体に取り付けられたならし材に塗布面を当接させて、塗布面をならすことを特徴とする接着剤の塗布方法である。
【発明の効果】
【００１１】
本発明によれば、次のような効果を有する。
（１）容器本体に取り付けられたならし材で、接着剤を塗布した塗布部材の塗布面をならすため、大幅に作業を効率化でき、作業時間の短縮を図れる。
（２）接着剤を塗布した塗布部材の塗布面は、容器本体に取り付けられたならし材に当接するだけなので、作業者の手に接着剤が付着することも防止でき、また、接着剤が施工現場に誤って垂れ落ちることも防止できる。
（３）接着剤を塗布した塗布部材の塗布面を、容器本体に取り付けられたならし材に当接することで、塗布面に均一に接着剤を塗布できる。
【発明を実施するための最良の形態】
【００１２】
本発明の実施形態を図面に基づいて説明する。
図１は、本発明に係る接着剤容器である。接着剤容器１０は、流動性のある接着剤７５を収容した容器本体１１と、その容器本体１１に取り付けられた棒状のならし材２０とを備える。
【００１３】
ならし材２０は、図２（ａ）に示すように、容器本体１１に二カ所設けられたならし材用孔１３，１３に貫通されることで、容器本体１１に取り付けられている。
図２（ｂ）に示すように、容器本体１１に予めならし材用孔１３，１３を形成しておき、そこにシール材２９，２９を貼付する。そして、実際にならし材２０を使用する時になって、そのシール材２９を剥がし、またはシール材２９を破って、ならし材２０を取り付けるようにしてもよい。
【００１４】
このならし材は、接着剤７５を塗布した塗布部材の塗布面をならすため、その塗布面と当接するための部材である。塗布部材として支持脚５０，５０を用いて、図３にならし材２０の使用方法を示す。
【００１５】
まず、作業者（図示省略）が流動性のある接着剤７５の収容された接着剤容器１０のところで、２個の支持脚５０，５０を片手で１個ずつ持ち（図３（ａ））、接着剤容器１０内で支持脚５０の底面部５１を塗布面として接着剤７５をディッピングする（図３（ｂ））。ここまでは、支持脚の従来の接着固定方法を示す図７の場合と同様である。
【００１６】
次に、支持脚５０の接着剤７５の塗布された底面部５１をならし材２０に当接させながら、底面部５１をスライドさせることで、底面部５１，５１に余分に付いた接着剤７５を掻き落としつつ底面部５１に接着剤７５を均一に塗布することができる（図７（ｃ）→（ｄ））。
そして、床面８０上の所定の位置に、支持脚５０の底面部５１を貼り付けることで、支持脚５０が床面８０に接着固定され、支持脚５０が設置されることになる（図３（ｅ））
【００１７】
図７の従来例では、図７（ａ）〜（ｅ）までの作業に約５０秒を要していた。これに対して、図３の本発明による実施例では、図３（ａ）〜（ｅ）までの作業に約４０秒を要した。従って、支持脚１個あたり約５秒も作業時間を短縮できた。
また、図３に示す使用方法では、支持脚５０を横向きに倒すことがないので、作業者の手に接着剤７５が付着することがなく、余分に付いた接着剤７５はならし材２０に付着するので、施工現場に誤って垂れ落ちることもない。
さらに、支持脚５０を横向きに倒すことがなく、支持脚５０の底面部５１をならし材２０に当接させながらスライドさせるので、接着剤７５をむらなく均一に底面部５１へ塗布することができる。
【００１８】
図１〜３に示すならし材２０は棒状のものであったが、単なる棒状のものに限らず、溝の付いたネジ式のものであってもよいし、棒状に限らず角棒・平板・波板・櫛状など、容器本体１１に設けられたならし材用孔１３，１３に取り付けられるものであれば、何でもよい。
【００１９】
また、図４に示すならし材２２のように、半円形をした部材で、容器本体１１の開口部１５に蓋体のように取り付けるものであってもよい。この場合、ならし材２２の直線状の側面２３に塗布部材の塗布面を当接させればよい。
【００２０】
さらに、図５に示すならし材２４がある。ならし材２４は、図５（ａ）に示すように、リング部材２５上に棒状体２６を取り付けたものである。リング部材２５を容器本体１１の開口部１５より若干大きな寸法に形成して、図５（ｂ）に示すように、開口部１５の外側にリング部材２５をはめ込む。すると、ならし材２４の棒状体２６は、開口部１５をまたぐようになるので、この棒状体２６に塗布部材の塗布面を当接させればよい。
【００２１】
また、リング部材２５を容器本体１１の開口部１５より若干小さな寸法に形成して、図５（ｃ）に示すように、開口部１５の内側にリング部材２５をはめ込むようにしてもよい。この場合も、ならし材２４の棒状体２６は、開口部１５をまたぐようになるので、この棒状体２６に塗布部材の塗布面を当接させればよい。
【００２２】
なお、ならし材２４は、リング部材２５上に１本の棒状体２６を取り付けているが、図５（ｄ）に示すように、リング部材２５上に２本以上の棒状体２６を取り付けてもよい。これによって、開口部１５にはめ込んだリング部材２５が安定することになる。
【産業上の利用可能性】
【００２３】
本発明に係る接着剤容器および接着剤の塗布方法は、実施形態で説明したフリーアクセスフロア用支持脚の接着固定に使用できるのはもちろんのこと、流動性のある接着剤を塗布する必要のあるその他の塗布部材に広く使用することができる。
【図面の簡単な説明】
【００２４】
【図１】本発明に係る接着剤容器を示す斜視図。
【図２】ならし材の取付方法を示す説明図。
【図３】ならし材の使用方法を示す説明図。
【図４】その他の実施形態を示す説明図。
【図５】その他の実施形態を示す説明図。
【図６】一般的なフリーアクセスフロアの施工方法を示す説明図。
【図７】従来の支持脚の接着固定方法を示す説明図。
【符号の説明】
【００２５】
１０  接着剤容器    １１  容器本体
１３  ならし材用孔  １５  開口部
２０  ならし材      ２２  ならし材
２９  シール材
５０  支持脚        ５１  底面部
７０  接着剤容器    ７５  接着剤
８０  床面
【図１】
2005262112.tif 000003
【図２】
2005262112.tif 000004
【図３】
2005262112.tif 000005
【図４】
2005262112.tif 000006
【図５】
2005262112.tif 000007
【図６】
2005262112.tif 000008
【図７】
2005262112.tif 000009